(57)【要約】【課題】載置される構造物上における作業領域を確保することができる電気器具を提供する。【解決手段】机上面に載置されるプレート２Ａと、プレート２Ａに立設されるアーム３Ａと、アーム３Ａに取付けられ商用電源Ｅ１から供給される商用電力を用いて光源５を点灯させる照明器具１Ａであって、一次側モジュール４４と、商用電源Ｅ１から供給される商用電力を用いて一次側モジュール４４に高周波電力を供給する高周波インバータ回路４３と、一次側モジュール４４に磁気結合される二次側モジュール６１を有する負荷機器６が載置される給電エリアＡ１とを備える。【選択図】図１
2013145654.tif 000002
【特許請求の範囲】
【請求項１】
構造物に載置されるプレートと、当該プレートに立設されるアームと、当該アームに取り付けられ電源から供給される電力を用いて駆動する電気負荷とを有する電気器具であって、
第１の一次側コイルと、
前記電源から供給される電力を用いて前記第１の一次側コイルに交流電力を供給するインバータ回路と、
前記第１の一次側コイルに磁気結合される二次側コイルを有する負荷機器が載置される第１の給電エリアとを備えることを特徴とする電気器具。
【請求項２】
前記電気負荷は、光源であることを特徴とする請求項１記載の電気器具。
【請求項３】
前記第１の給電エリアは、前記プレートの表面に形成されることを特徴とする請求項１または２記載の電気器具。
【請求項４】
前記プレートは、前記構造物に載置されるベースと、前記ベースに取り付けられ前記給電エリアが形成される給電部とを有し、
前記給電部は、前記ベースに対して回動自在に構成されることを特徴とする請求項３に記載の電気器具。
【請求項５】
前記プレートは、前記アームを中心として回動自在に構成されることを特徴とする請求項３または４に記載の電気器具。
【請求項６】
前記プレートに取り付けられる延設プレートを備え、
前記延設プレートは、第２の一次側コイルを内蔵し、表面に第２の給電エリアが形成され、側面が前記プレートの側面に取り付けられることを特徴とする請求項３乃至５のうちいずれか１項に記載の電気器具。
【請求項７】
前記アームは、長尺状に形成され、長さ方向に屈曲させる屈曲部を少なくとも１つ以上有し、前記屈曲部を屈曲させた状態で前記プレートに収納されることを特徴とする請求項１乃至６のうちいずれか１項に記載の電気器具。
【請求項８】
バッテリーからなる前記電源を備えることを特徴とする請求項１乃至７のうちいずれか１項に記載の電気器具。
【発明の詳細な説明】
【技術分野】
【０００１】
本発明は、電気器具に関するものである。
【背景技術】
【０００２】
従来より、負荷機器に内蔵されたバッテリーを非接触充電する充電器が提供されている（例えば、特許文献１，２参照）。
【０００３】
図１５に特許文献１に記載の充電器１０１を示す。充電器１０１は、フェライトで作られた箱体１０２と、箱体１０２の内周壁に沿うように巻回したループ状の一次側コイル１０３と、箱体１０２の側部に内蔵され、１次側コイル１０３に一次電流として高周波電流を流す充電回路からなる。箱体１０２の開口部には、箱体１０２と同じ磁性材料からなる蓋１０４を開閉自在に枢着している。カード状電気かみそりのような電気器具の電気器具本体１０５は、設置安定状態面である平坦な表面にループ状の二次側コイル１０６を配設し、内部には充電部および蓄電池を内蔵している。そして、電気器具本体１０５を充電器１０１の箱体１０２に、その収納位置を気にせず、入れるだけで充電することができる。
【０００４】
図１６，１７に特許文献２に記載の充電器を示す。特許文献２に記載の電力搬送システムは、電磁誘導作用で電力搬送する送電コイル２１１を備える電源装置２１０（充電器）と、電源装置２１０の送電コイル２１１に電磁結合されて、送電コイル２１１から電力搬送される電力を誘導する受電コイル２２１を備える受電器２２０とを備える。電源装置２１０は、矩形箱状の筐体に送電コイル２１１と永久磁石２１２を備える。また、受電器２２０は、電源装置２１０に載置されることで送電コイル２１１に磁気結合される受電コイル２２１と、永久磁石２１２に磁気的に吸着される金属板２２２を備える。そして、特許文献２に記載の電力搬送システムは、永久磁石２１２と金属板２２２とによる磁気的な吸着力でもって受電器２２０を電源装置２１０の定位置に配置し、電源装置２１０から充電器２２０に電力を供給し、送電コイル２１１の交流磁束による発熱を有効に防止することができる。
【０００５】
このような充電器は、主にリビングやダイニング，書斎などで使用されることを想定したものであり、勉強机やテーブル，テレビボードなど何らかの什器の上面に置くことが使用例として多い。特に、勉強机やテーブルなどで勉強やパソコン作業をしながらポータブル電気器具を充電や使用することが考えられる。
【０００６】
そこで、コンセントパッドを利用することなく、机上で充電器に電力を供給するために、コンセントを備えたデスクスタンド（パナソニック社製、ＳＱ６５５Ｓ）がある。このデスクスタンドは、図１８に示すように、板状のベース３０１に本体３０２が立設され、本体３０２からアーム３０３を介して光源３０５が取り付けられるセード３０４が接続されている。本体３０２には、回路基板が内蔵されており、電源コード３０６を介して電源プラグ３０７が設けられている。そして、電源プラグ３０７がコンセントに接続されることで、光源３０５に電力を供給する。また、本体３０２には、コンセント３０８が設けられており、上述した充電器を接続して、この充電器に電力を供給することができる。
【０００７】
また、コンセントを備えたテーブルも提供されている（例えば、特許文献３参照）。図１９に特許文献３に記載されたテーブルを示す。天板４０１の少なくとも裏面周縁部の一部に取り付けられた磁着可能なプレート４０２と、プレート４０２に磁着可能な取付部４０３ａにフレキシブルシャフト４０３ｂの一端を連結するとともにフレキシブルシャフト４０３ｂの他端に発光部４０３ｃを取り付けた照明具４０３と、照明具４０３のプラグを差し込むためのコンセント４０４を有する照明具着脱型テーブルである。このテーブルを用いることで、デスクスタンドをいちいち持ち運んでくる必要がなく、テーブルの作業領域を狭めず、照らしたいところに自由自在に配光することができる。また、延長コードを継ぎ足すことなくテーブル上の照らしたいところに照明具４０３を自由に移動させることができる。そして、このテーブルに設けられたコンセント４０４に充電器を接続することで、コンセントパッドを利用することなく、テーブルに載置された充電器に電力を供給することができる。
【先行技術文献】
【特許文献】
【０００８】
【特許文献１】特開平４−３１７５２７号公報
【特許文献２】特開２０１１−１２０４３２号公報
【特許文献３】特開２０１１−３０９８２２号公報
【発明の概要】
【発明が解決しようとする課題】
【０００９】
しかし、上述の充電器を机上で用いる場合、勉強やパソコン等の作業に使用する電気器具と充電器とが複数置かれることとなる。したがって、机上面に充電器を置くための面積を確保する必要があるので、机上面における作業領域が狭くなり、作業性が劣ることとなる。さらに、作業に使用する電気器具と充電器との両方の電源コードが机上面に存在することとなるので、掃除がしにくくなると共に、デザイン性（インテリア性）を損なう。
【００１０】
また、コンセントを有するデスクスタンドやテーブルを用いた場合、コンセントパッドを省略することができるが、充電器を置くための面積は確保する必要がある。さらに、コンセントを有するデスクスタンドやテーブルは、幼児などが容易に手の届く場所にコンセントがあるため、感電のおそれがあり安全性が損なわれる。
【００１１】
本発明は、上記事由に鑑みてなされたものであり、その目的は、載置される構造物上における作業領域を確保することができる電気器具を提供することにある。
【課題を解決するための手段】
【００１２】
本発明の電気器具は、構造物に載置されるプレートと、当該プレートに立設されるアームと、当該アームに取り付けられ電源から供給される電力を用いて駆動する電気負荷とを有する電気器具であって、第１の一次側コイルと、前記電源から供給される電力を用いて前記第１の一次側コイルに交流電力を供給するインバータ回路と、前記第１の一次側コイルに磁気結合される二次側コイルを有する負荷機器が載置される第１の給電エリアとを備えることを特徴とする。
【００１３】
この電気器具において、前記電気負荷は、光源であることが好ましい。
【００１４】
この電気器具において、前記第１の給電エリアは、前記プレートの表面に形成されることが好ましい。
【００１５】
この電気器具において、前記プレートは、前記構造物に載置されるベースと、前記ベースに取り付けられ前記給電エリアが形成される給電部とを有し、前記給電部は、前記ベースに対して回動自在に構成されることが好ましい。
【００１６】
この電気器具において、前記プレートは、前記アームを中心として回動自在に構成されることが好ましい。
【００１７】
この電気器具において、前記プレートに取り付けられる延設プレートを備え、前記延設プレートは、第２の一次側コイルを内蔵し、表面に第２の給電エリアが形成され、側面が前記プレートの側面に取り付けられることが好ましい。
【００１８】
この電気器具において、前記アームは、長尺状に形成され、長さ方向に屈曲させる屈曲部を少なくとも１つ以上有し、前記屈曲部を屈曲させた状態で前記プレートに収納されることが好ましい。
【００１９】
この電気器具において、バッテリーからなる前記電源を備えることが好ましい。
【発明の効果】
【００２０】
以上説明したように、本発明では、載置される構造物上における作業領域を確保することができるという効果がある。
【図面の簡単な説明】
【００２１】
【図１】本発明の実施形態１の照明器具の外観図である。
【図２】同上の概略構成図である。
【図３】同上のブロック構成図である。
【図４】負荷機器の概略構成図である。
【図５】実施形態２の照明器具の外観図である。
【図６】同上の概略構成図である。
【図７】実施形態３の照明器具の外観図である。
【図８】同上の概略構成図である。
【図９】実施形態４の照明器具の外観図である。
【図１０】実施形態５の照明器具の外観図である。
【図１１】同上の概略構成図である。
【図１２】実施形態６の照明器具の外観図である。
【図１３】同上の概略構成図である。
【図１４】同上のブロック構成図である。
【図１５】従来の充電器の外観図である。
【図１６】従来の充電器の外観図である。
【図１７】同上の概略構成図である。
【図１８】従来のデスクスタンドの外観図である。
【図１９】従来のテーブルの外観図である。
【発明を実施するための形態】
【００２２】
以下、本発明の実施の形態を図面に基づいて説明する。
【００２３】
（実施形態１）
本実施形態の電気器具を図１〜３を用いて説明する。本実施形態の電気器具は、机（構造物）上に置かれる照明器具（デスクスタンド）であり、以降、照明器具１Ａと称す。図１に照明器具１Ａの外観図、図２に照明器具１Ａの概略構成図、図３に照明器具１Ａのブロック構成図を示す。なお、図２における上下方向を上下方向、左右方向を前後方向と規定して以下説明する。
【００２４】
照明器具１Ａは、電気負荷である光源５と、机上面に載置されるプレート２Ａと、プレート２Ａに立設され先端に光源５が取り付けられるアーム３Ａとで構成されている。そして、プレート２Ａとアーム３Ａとで照明器具１Ａの外郭を構成している。
【００２５】
光源５は、蛍光灯やＬＥＤ，白熱電球などで構成されており、照明器具１Ａが載置される机上面を照射する。
【００２６】
プレート２Ａは、円盤状に形成され、机上面に載置されることでアーム３Ａが転倒しないように支持するものである。そして、プレート２Ａの上面において、後端近傍にアーム３Ａが立設されている。
【００２７】
アーム３Ａは、プレート２Ａに立設される柱上の本体部３１と、光源５が取り付けられるヘッド３２と、本体部３１の上端から前方に延設され先端にヘッド３２が設けられる延設部３３とで構成されている。
【００２８】
本体部３１は、共通電源回路４１と駆動回路４２とを内蔵している。共通電源回路４１は、本体部３１の後面から露出した電源コードＣ１に接続されており、電源コードＣ１の先端に設けられた電源プラグＰ１がコンセントに挿入されることで、共通電源回路４１に商用電源Ｅ１が接続される。そして、共通電源回路４１は、商用電源Ｅ１から供給される商用電力を電力変換（例えば、全波，半波整流や昇圧，降圧，昇降圧など）して駆動回路４２に供給する。駆動回路４２は、延設部３３に内蔵された接続線を介してヘッド３２に設けられたソケット（図示なし）に接続されており、ソケットに光源５が接続されることで、駆動回路４２と光源５とが電気的に接続される。そして、駆動回路４２は、共通電源回路４１から供給される電力を用いて点灯電力を生成し、光源５に供給することで光源５を点灯させる。また、駆動回路４２には、本体部３１の前面から露出したスイッチ３４が接続されている。このスイッチ３４を操作することで、光源５に供給する点灯電力を制御することができ、光源５を点灯・消灯・調光などの点灯制御を行うことができる。
【００２９】
また、本実施形態の照明器具１Ａは、非接触給電機能を有しており、非接触給電に対応した負荷機器６に内蔵されたバッテリー６３を無接点充電（非接触充電）することができる。以下に、照明器具１Ａの非接触給電機能について説明する。
【００３０】
照明器具１Ａは、非接触給電機能を実現するために、高周波インバータ回路４３（インバータ回路）と一次側モジュール４４（第１の一次側コイル）とを備えている。
【００３１】
高周波インバータ回路４３は、本体部３１に内蔵されており、共通電源回路４１から供給される電力を高周波電力（交流電力）に変換して一次側モジュール４４に供給する。一次側モジュール４４は、プレート２Ａに内蔵されており、平面状となるように巻回された一次側コイルで構成されている。そして、高周波インバータ回路４３から一次側コイル（一次側モジュール４４）に高周波電力が供給されることで一次側コイルに交流磁界が発生する。この一次側コイルに二次側コイルが近接配置された場合、一次側コイルが発生する交流磁界による電磁誘導を利用して一次側コイルから二次側コイルに電力を搬送することができる。
【００３２】
そして、一次側コイル（一次側モジュール４４）を内蔵したプレート２Ａの上面が給電エリアＡ１として機能し、この給電エリアＡ１に負荷機器６を載置することで負荷機器６に電力を搬送することができる。
【００３３】
図３に負荷機器６のブロック構成図、図４に負荷機器６の概略構成図を示す。負荷機器６は、二次側コイルで構成された二次側モジュール６１と二次側電源回路６２とバッテリー６３と負荷６４とを筐体に収納している。なお、図４では負荷６４の図示を省略している。
【００３４】
二次側モジュール６１（二次側コイル）は、一次側モジュール４４に近接配置されると、電磁誘導によって電圧を発生する。二次側電源回路４２は、二次側モジュール６１に発生する電圧を所定の直流電圧に変換して、バッテリー６３に出力することでバッテリー６３を充電する。そして、負荷６４はバッテリー６３に充電された電力を用いて駆動する。
【００３５】
すなわち、プレート２Ａの上面に形成された給電エリアＡ１に負荷機器６を載置することで、一次側モジュール４４から二次側モジュール６１に電力が搬送され、バッテリー６３を無接点充電（非接触充電）することができる。なお、本実施形態では、光源５を消灯している場合でも、一次側モジュール４４に高周波電力が供給され、負荷機器６に内蔵されたバッテリー６３を非接触充電することができる。
【００３６】
このように、本実施形態の電気器具（照明器具１Ａ）は、光源５を点灯させ机上面を照射させる照明器具としての機能と、負荷機器６のバッテリー６３を非接触充電する充電器としての機能との両方を備えている。したがって、本実施形態の照明器具１Ａを用いることで、机上面に充電器を置く必要がなく、別体の充電器を設ける場合に比べて机上面における作業領域を確保することができる。
【００３７】
さらに、本実施形態では、机上面に載置されアーム３Ａを支持するプレート２Ａに給電エリアＡ１が形成されている。したがって、給電エリアが形成された充電台などを別体に設ける必要がなく、照明器具１Ａの大型化を抑制することができる。
【００３８】
また、光源５に点灯電力を供給する駆動回路４２と、一次側モジュール４４に高周波電力を供給する高周波インバータ回路４３とは、共通電源回路４１から供給される電力を用いて駆動する。したがって、非接触給電専用の電源コードおよび電源プラグを備える必要がなく、本実施形態の照明器具１Ａを用いることで机上面における電源コードを省略することができ、机上面の掃除がしやすくなり、デザイン性およびインテリア性も向上する。なお、本実施形態では、共通電源回路４１は、本体部３１に内蔵されているが、例えば電源アダプタとして本体部３１の外側に設けられていてもよい。
【００３９】
また、本実施形態の照明器具１Ａは、非接触給電機能を有しているので、負荷機器６のバッテリー６３を充電するための充電端子を設ける必要がなく、メンテナンス性（掃除のしやすさ）が向上する。
【００４０】
また、照明器具１Ａが充電器としての機能を有しているので、別体の充電器を接続するためのコンセントを、照明器具１Ａや机に設ける必要がない。これにより、幼児などが誤ってコンセントに触れてしまうおそれがなく、安全性が向上し設置自由度が向上する。
【００４１】
なお、本実施形態の電気器具は、電気負荷として光源５を備えた照明器具１Ａを構成しているが、これに限定するものではない。例えば電気負荷として熱源を備えた暖房器具や、電気負荷としてファンを備えた送風機などで構成されていてもよい。
【００４２】
（実施形態２）
本実施形態の電気器具を図５，６を用いて説明する。本実施形態の電気器具は、机上に置かれる照明器具（デスクスタンド）であり、以降、照明器具１Ｂと称す。図５に照明器具１Ｂの外観図、図６に照明器具１Ｂの概略構成図を示す。なお、図６における上下左右方向を上下方向、左右方向を左右方向、図５における右方向を前方向、左方向を後ろ方向として以下説明する。
【００４３】
照明器具１Ｂは、電気負荷である光源５と、机上面に載置されるプレート２Ｂと、プレート２Ｂに立設され光源５が取り付けられるアーム３Ｂとで構成されている。そして、プレート２Ｂとアーム３Ｂとで照明器具１Ｂの外郭を構成している。なお、実施形態１の照明器具１Ａと同様の構成には、同一符号を付して説明は省略する。
【００４４】
本実施形態では、プレート２Ｂに共通電源回路４１，高周波インバータ回路４３，一次側モジュール４４が内蔵され、アーム３Ｂに駆動回路４２が内蔵されている。
【００４５】
プレート２Ｂは、机（構造物）上に載置される矩形板状のベース２１と、ベース２１に取り付けられる矩形板状の給電プレート２２（給電部）とで構成される。ベース２１は、共通電源回路４１と高周波インバータ回路４３とを内蔵している。共通電源回路４１は、ベース２１の後面から露出した電源コードＣ２が接続されており、電源コードＣ２の先端に設けられた電源プラグＰ２がコンセントに挿入されることで、共通電源回路４１に商用電源Ｅ１が接続され、商用電力が供給される。給電プレート２２は、矩形板状に形成され、ベース２１の前端左側においてヒンジ２３を介して取り付けられており、ベース２１に対して回動自在に構成されている。給電プレート２２は、一次側コイルからなる一次側モジュール４４を内蔵しており、上面に給電エリアＡ２が形成されている。実施形態１と同様に、この給電エリアＡ２に負荷機器６を載置することで、負荷機器６に内蔵されたバッテリー６３を非接触充電することができる。
【００４６】
アーム３Ｂは、長尺板状の第１，第２のアーム３５，３６が互いに接続されることで構成されており、ベース２１の前端右側においてヒンジ２４を介して取り付けられている。第１のアーム３５は、前端がヒンジ２４を介してベース２１に取り付けられており、ベース２１に対して回動自在に構成されている。第２のアーム３６は、第１のアーム３５に対して所定の角度（本実施形態では略９０度）となるように後端が第１のアーム３５の後端に接続されており、一面側に光源５が取り付けられている。そして、第１のアーム３５は、駆動回路４２を内蔵しており、駆動回路４２は電気的に接続された光源５に点灯電力を供給することで、光源５を点灯させる。また、第１のアーム３５はベース２１に対して回動自在に構成されているので、第１のアーム３５を回動させることで、光源５の照射位置を調節することができる。
【００４７】
本実施形態の電気器具（照明器具１Ｂ）は、実施形態１の照明器具１Ａと同様に、光源５を点灯させ机上面を照射させる照明器具としての機能と、負荷機器６のバッテリー６３を非接触充電する充電器としての機能との両方を備えている。したがって、本実施形態の照明器具１Ｂを用いることで、机上面に充電器を置く必要がなく、別体の充電器を設ける場合に比べて机上面における作業領域を確保することができる。
【００４８】
また、本実施形態では、プレート２Ｂがベース２１と給電プレート２２とで構成されており、給電プレート２２はベース２１に対して回動自在に構成されている。したがって、例えば、負荷機器６が携帯電話やタブレット機器で構成され、負荷機器６を充電しながら使用する場合、負荷機器６が使用しやすい角度となるように給電プレート２２の角度を調節することができる。これにより、負荷機器６のバッテリー６３を充電しながら使用する際における負荷機器６の使い勝手を向上させることができる。
【００４９】
また、上記では給電プレート２２の一面（上面）に給電エリアＡ２を形成しているが、給電プレート２２の他面（下面）に給電エリアを形成してもよい。例えば、ベース２１と給電プレート２２との角度が鈍角（例えば１８０度）となるように給電プレート２２を回動させることで、給電プレート２２の他面に負荷機器６を載置することができる。また、ベース２１の上面を給電エリアとし、給電プレート２２に内蔵された一次側モジュール４４と負荷機器６に内蔵された二次側モジュール６１とが近接するように、負荷機器６の位置および給電プレート２２の角度を調整してもよい。
【００５０】
また、本実施形態では、給電プレート２２に一次側モジュール４４が内蔵され上面に給電エリアＡ２が形成されているが、アーム３Ｂに一次側モジュール４４を内蔵しアーム３Ｂに給電エリアを形成してもよい。例えば、第１のアーム３５に一次側モジュール４４を内蔵し、第１のアーム３５の上面に給電エリアを形成する。この場合、第１のアーム３５も給電プレート２２と同様にベース２１に対して回動自在に構成されているので、上記同様に負荷機器６を非接触充電しながら使用する際における負荷機器６の使い勝手を向上させることができる。
【００５１】
（実施形態３）
本実施形態の電気器具を図７，８を用いて説明する。本実施形態の電気器具は、机上に置かれる照明器具（デスクスタンド）であり、以降、照明器具１Ｃと称す。図７に照明器具１Ｃの外観図、図８に照明器具１Ｃの概略構成図を示す。なお、実施形態１における照明器具１Ａと同様の構成には同一符号を付して説明は省略する。
【００５２】
本実施形態の照明器具１Ｃと実施形態１の照明器具１Ａとの差異として、本実施形態の照明器具１Ｃは、プレート２Ａがアーム３Ａを中心として回動自在に構成されている。他の構成は、実施形態１の照明器具１Ａと同様の構成であるので、説明は省略する。
【００５３】
本実施形態では、アーム３Ａの本体部３１の下部にベアリング３７が設けられており、ベアリング３７を介して本体部３１とプレート２Ａとが互いに接続されている。このベアリング３７により、プレート２Ａは、アーム３Ａの本体部３１を中心として回動させることができる。なお、ベアリング３７は、導電性を有する材質で形成されており、本体部３１に内蔵された高周波インバータ回路４３とプレート２Ａに内蔵された一次側モジュール４４とは電気的に接続可能となっている。
【００５４】
したがって、負荷機器６を載置する位置（プレート２Ａの方向）と、光源５が机上面を照射する位置（アーム３Ａの方向）とを別々に設定することができる。例えば、ユーザーが光源５を点灯させた状態で、負荷機器６を充電しながら使用する場合、負荷機器６を使用しやすい位置や向きとなるようにプレート２Ａの位置を調節する。そして、光源５が所望の位置を照射するようにアーム３を回転させてヘッド３２の方向を調節する。すなわち、本実施形態の照明器具１Ｃを用いることで、プレート２Ａの方向とアーム３Ａの方向とを別々に設定できるので、机上面を効果的に活用することができ、使い勝手が向上する。
【００５５】
また、本実施形態の照明器具１Ｃも、実施形態１，２の照明器具１Ａ，１Ｂと同様に、光源５を点灯させ机上面を照射させる照明器具としての機能と、負荷機器６のバッテリー６３を非接触充電する充電器としての機能との両方を備えている。したがって、本実施形態の照明器具１Ｃを用いることで、机上面に充電器を置く必要がなく、別体の充電器を設ける場合に比べて机上面における作業領域を確保することができる。
【００５６】
（実施形態４）
本実施形態の電気器具を図９を用いて説明する。本実施形態の電気器具は、机上に置かれる照明器具（デスクスタンド）であり、以降、照明器具１Ｄと称す。図９に照明器具１Ｄの外観図を示す。なお、実施形態２における照明器具１Ｂと同様の構成には同一符号を付して説明は省略する。
【００５７】
本実施形態の照明器具１Ｄと、実施形態２の照明器具１Ｂとの差異として、第１，第２のアーム３５，３６とがヒンジ３８（屈曲部）を介して接続されており、第２のアーム３６も回動自在に構成されている。また、本実施形態のプレート２Ｃは、実施形態２のプレート２Ｂにおける閉じた状態の給電プレート２２とベース２１とを一体にした形状に形成されている。他の構成は、実施形態２の照明器具１Ｂと同様の構成であるので、説明は省略する。
【００５８】
プレート２Ｃは、給電エリアＡ２が上面に形成される矩形板状の給電部２５と、給電部２５の右側に連続して形成される矩形板状の収納部２６とで構成される。収納部２６は、給電部２５より薄い矩形板状に形成されており、前端に取り付けられたアーム３Ｂを屈曲させて収納することができる。
【００５９】
本実施形態のアーム３Ｂは、長尺板状の第１，第２のアーム３５，３６とで構成されており、アーム３Ｂの長さ方向に屈曲させるヒンジ３８が第１のアーム３５と第２のアーム３６との接続部に設けられている。
【００６０】
第１のアーム３５は、前端がヒンジ２４を介して収納部２６の前端に取り付けられており、収納部２６に対して回動自在に構成されている。第２のアーム３６は、後端がヒンジ３８を介して第１のアーム３５の後端に接続されており、第１のアーム３５に対して回動自在に構成されている。また、第２のアーム３６の先端面（前端面）には、駆動回路４２に電気的に接続されるスイッチ３９が設けられている。そして、このスイッチ３９を操作することで、第２のアーム３６の一面に設けられた光源５の点灯制御を行うことができる。
【００６１】
また、長尺板状に形成された第１，第２のアーム３５，３６における各長さ方向の寸法は、プレート２Ｃ（収納部２６）の前後方向の寸法と略同一となるように形成されている。また、収納部２６と第１のアーム３５と第２のアーム３６との各厚み寸法の合計が、給電部２５の厚み寸法と略同一となるように形成されている。
【００６２】
したがって、光源５を使用しない場合、図９の矢印Ｙ１に示すように第１のアーム３５の後端がプレート２Ｃの後端に近接するように第１のアーム３５を回動させる。さらに、図９の矢印Ｙ２に示すように第２のアーム３６の前端がプレート２Ｃの前端に近接するように第２のアーム３６を回動させる。これにより、第２のアーム３６の他面と、給電部２５の上面とが略面一となるように、アーム３Ｂが折りたたまれた状態で収納部２６に収納され、照明器具１Ｄの外観が略矩形板状となる。
【００６３】
すなわち、本実施形態では、アーム３Ｂを長さ方向に屈曲させた状態でプレート２Ｃの収納部２６に収納することができ、机上面における照明器具１Ｄの省スペースを実現することができる。また、アーム３Ｂを収納することができるので、照明器具１Ｄに埃がたまりにくくなり、例えば、ダイニングなどの清潔性が求められる場所に使用することができる。
【００６４】
また、本実施形態のアーム３Ｂは、第１，第２のアーム３５，３６が回動自在に構成されているので、光源５の照射位置をより細かく調節することができる。
【００６５】
また、本実施形態の照明器具１Ｄも、実施形態１〜３の照明器具１Ａ〜１Ｃと同様に、光源５を点灯させ机上面を照射させる照明器具としての機能と、負荷機器６のバッテリー６３を非接触充電する充電器としての機能との両方を備えている。したがって、本実施形態の照明器具１Ｄを用いることで、机上面に充電器を置く必要がなく、別体の充電器を設ける場合に比べて机上面における作業領域を確保することができる。
【００６６】
また、第１のアーム３５と第２のアーム３６との接続部に、２つの回動軸を備えるヒンジを用いてもよい。例えば、１つ目の回動軸は、上述したようにアーム３Ｂが長さ方向に屈曲するように第１のアーム３５に対して第２のアーム３６を矢印Ｙ２方向に回動させる回動軸。２つ目の回動軸は、１つ目の回動軸直交し、図９の破線および矢印Ｙ３に示すように、第１のアーム３５の右辺と第２のアーム３６の右辺とが離間するように第２のアーム３６の左辺を中心にして第２のアーム３６を回転させる回動軸。このように、第１のアーム３５と第２のアーム３６との接続部に２つの回動軸を備えるヒンジを用いることによって、第２のアーム３６を回転させることができるので、光源５の照射方向を所望の方向に向けることができる。
【００６７】
（実施形態５）
本実施形態の電気器具を図１０，１１を用いて説明する。本実施形態の電気器具は、机上に置かれる照明器具（デスクスタンド）であり、以降、照明器具１Ｅと称す。図１０に照明器具１Ｅの外観図、図１１に照明器具１Ｅの概略構成図を示す。なお、実施形態４における照明器具１Ｄと同様の構成には同一符号を付して説明は省略する。
【００６８】
本実施形態の照明器具１Ｅと、実施形態４の照明器具１Ｄとの差異として、本実施形態の照明器具１Ｅは、プレート２Ｃに取り付けられる延設プレート７を備える。
【００６９】
延設プレート７は、矩形板状に形成されており、前後方向の長さ寸法はプレート２Ｃの前後方向の長さ寸法と略同一であり、厚み寸法はプレート２Ｃの給電部２５と略同一となるように形成されている。また、延設プレート７は、高周波インバータ回路４３ａと、一次側コイル（第２の一次側コイル）からなる一次側モジュール４４ａとを内蔵しており、上面に給電エリアＡ３（第２の給電エリア）が形成される。なお、高周波インバータ回路４３ａ，一次側モジュール４４ａは、プレート２Ｃに内蔵された高周波インバータ回路４３，一次側モジュール４４と同一構成であり、説明は省略する。延設プレート７の左端面（側面）には、プレート２Ｃとの接続部として機能する凸部７１が前後方向に沿って形成されており、この凸部７１には高周波インバータ回路４３ａに電気的に接続された端子（図示なし）が設けられている。
【００７０】
また、プレート２Ｃの右端面（側面）には、凸部７１に嵌合する凹部２７が形成されており、この凹部２７には共通電源回路４１に電気的に接続された端子（図示なし）が設けられている。
【００７１】
そして、凹部２７と凸部７１とを嵌合させることで、プレート２Ｃに延設プレート７が取り付けられる。そして、凹部２７および凸部７１に設けられた各端子同士が接触し、共通電源回路４１と高周波インバータ回路４３ａとが電気的に接続される。
【００７２】
これにより、延設プレート７に内蔵された一次側モジュール４４ａに高周波電力が供給され、延設プレート７の上面に形成された給電エリアＡ３に負荷機器６を載置することでバッテリー６３を非接触充電することができる。すなわち、本実施形態では、プレート２Ｃの給電部２５の上面に形成される給電エリアＡ２と、延設プレート７の上面に形成される給電エリアＡ３とを備える。
【００７３】
このように、本実施形態ではプレート２Ｃに延設プレート７を取り付けることで、給電エリアを拡大することができる。これにより、複数の負荷機器６に対して同時に給電することができ、使い勝手が向上する。
【００７４】
また、第２のアーム３６の両側面に凸部３６１が形成され、プレート２Ｃの給電部２５の右端面に凹部２５１が形成され、延設プレート７の左端面における凸部７１の上側に凹部７２が形成されている。実施形態４と同様にアーム３Ｂを折りたたんだ状態で収納部２６に収納する際に、凸部３６１が凹部２５１，７２内に嵌合して係止される。これにより、本実施形態では、アーム３Ｂを収納した状態を保持することができる。
【００７５】
また、本実施形態の照明器具１Ｅも、実施形態１〜４の照明器具１Ａ〜１Ｄと同様に、光源５を点灯させ机上面を照射させる照明器具としての機能と、負荷機器６のバッテリー６３を非接触充電する充電器としての機能との両方を備えている。したがって、本実施形態の照明器具１Ｅを用いることで、机上面に充電器を置く必要がなく、別体の充電器を設ける場合に比べて机上面における作業領域を確保することができる。
【００７６】
（実施形態６）
本実施形態の電気器具を図１２〜１４を用いて説明する。本実施形態の電気器具は、机上に置かれる照明器具（デスクスタンド）であり、以降、照明器具１Ｆと称す。図１２に照明器具１Ｆの外観図、図１３に照明器具１Ｆの概略構成図、図１４に照明器具１Ｆのブロック構成図を示す。なお、実施形態１における照明器具１Ａと同様の構成には同一符号を付して説明は省略する。
【００７７】
本実施形態の照明器具１Ｆと実施形態１の照明器具１Ａの差異として、本実施形態の照明器具１Ｆは、光源５および一次側モジュール４４の電源となるバッテリー４５と、このバッテリー４５を非接触充電するための二次側モジュール４６とを備えている。他の構成は、実施形態１の照明器具１Ａと同様の構成であるので、説明は省略する。
【００７８】
本実施形態の照明器具１Ｆは、商用電源Ｅ１に接続されておらず、本体部３１に内蔵されたバッテリー４５を電源として、駆動回路４２は光源５に点灯電力を供給し、高周波インバータ回路４３は一次側モジュール４４に高周波電力を供給する。したがって、照明器具１Ｆは、設置場所がコンセントの位置に依存することがないので、設置場所の自由度が向上する。
【００７９】
また、照明器具１Ｆは、二次側コイルからなる二次側モジュール４６がプレート２に内蔵されており、照明器具１Ｆを充電器８に載置することでバッテリー４５を非接触充電することができる。
【００８０】
充電器８は、矩形板状に形成されており、高周波インバータ回路８１と、一次側コイルからなる一次側モジュール８２が内蔵されている。高周波インバータ回路８１は、充電器８から露出した電源コードＣ３に接続されており、電源コードＣ３の先端に設けられた電源プラグＰ３がコンセントに挿入されることで、高周波インバータ回路８１に商用電源Ｅ１が接続される。そして、高周波インバータ回路８１は、商用電源Ｅ１から供給される商用電力を用いて高周波電力を生成し、一次側モジュール８２に供給する。一次側モジュール８２は、平面状となるように巻回された一次側コイルで構成されている。そして、高周波インバータ回路８１から一次側モジュール８２に高周波電力が供給されることで、一次側モジュール８２に交流磁界が発生し、二次側コイルに電力を搬送することができる。上記構成で、充電器８は、上面が給電エリアＡ４として機能し、この給電エリアＡ４に照明器具１Ｆが載置されることで、充電器８から照明器具１Ｆに電力を搬送することができる。
【００８１】
そして、充電器８の上面に形成された給電エリアＡ４に照明器具１Ｆが載置されることで、充電器８に内蔵された一次側モジュール８２と、照明器具１Ｆに内蔵された二次側モジュール４６とが磁気結合される。一次側モジュール８２に発生する交流磁界による電磁誘導によって二次側モジュール４６に電圧が発生する。共通電源回路４１は、二次側モジュール４６に発生する電圧を所定の直流電圧に変換して、バッテリー４５に出力することでバッテリー４５を充電する。そして、駆動回路４２は、バッテリー４５に充電された電力を用いて、光源５に点灯電力を供給することで光源５を点灯させる。また、高周波インバータ回路４３は、バッテリー４５に充電された電力を用いて、一次側モジュール４４に高周波電力を供給することで、給電エリアＡ１に載置された負荷機器６のバッテリー６３を非接触充電する。
【００８２】
また、本実施形態の照明器具１Ｆも、実施形態１〜５の照明器具１Ａ〜１Ｅと同様に、光源５を点灯させ机上面を照射させる照明器具としての機能と、負荷機器６のバッテリー６３を非接触充電する充電器としての機能との両方を備えている。したがって、本実施形態の照明器具１Ｆを用いることで、机上面に充電器を置く必要がなく、別体の充電器を設ける場合に比べて机上面における作業領域を確保することができる。
【００８３】
なお、本実施形態では充電器８を用いて照明器具１Ｆに内蔵されたバッテリー４５を非接触充電しているが、照明器具１Ｆに充電端子を設け、この充電端子と充電器とを接続することでバッテリー４５を充電するように構成してもよい。
【符号の説明】
【００８４】
１Ａ  照明器具（電気器具）
２Ａ  プレート
３Ａ  アーム
４４  一次側モジュール（一次側コイル）
５    光源（電気負荷）
６    負荷機器
６３  二次側モジュール（二次側コイル）
Ａ１  給電エリア
【図１】
2013145654.tif 000003
【図２】
2013145654.tif 000004
【図３】
2013145654.tif 000005
【図４】
2013145654.tif 000006
【図５】
2013145654.tif 000007
【図６】
2013145654.tif 000008
【図７】
2013145654.tif 000009
【図８】
2013145654.tif 000010
【図９】
2013145654.tif 000011
【図１０】
2013145654.tif 000012
【図１１】
2013145654.tif 000013
【図１２】
2013145654.tif 000014
【図１３】
2013145654.tif 000015
【図１４】
2013145654.tif 000016
【図１５】
2013145654.tif 000017
【図１６】
2013145654.tif 000018
【図１７】
2013145654.tif 000019
【図１８】
2013145654.tif 000020
【図１９】
2013145654.tif 000021